(57)【特許請求の範囲】
【請求項１】
前面に扉体（２）を備えた開口部を有し、該前面に連通するいずれかの面に誘導気体通路（４）を有し、誘導気体通路（４）が空調室（１）に連通して設けられ、空調室（１）と誘導気体通路（４）を仕切る仕切壁（３）の前面側に気体吸入口（３１）を、最奥部に気体供給口（３３）をそれぞれ備えた空調槽において、
先端部を記誘導気体通路（４）内に屈曲させた回動ガイドレール（２３）が前記空調室（１）内の前記誘導気体通路（４）と対向する側に設けた支点（２６）を中心に回動自在に装着され、扉体（２）はローラ（２７）を介して前記回動ガイドレール（２３）に沿って転動可能に構成され、前記誘導気体通路（４）内には固定ガイドレール（２４）が設けられ、前記扉体（２）と前記回動ガイドレール（２３）が同時に回動したときに該回動ガイドレール（２３）の先端が前記固定ガイドレール（２４）に接続されて一続きのガイドレールとなることにより、前記扉体（２）を誘導気体通路（４）内に格納可能にしたことを特徴とする空調槽。
【請求項２】
前記誘導気体通路（４）の外壁に連動ダンパ（５１）を開閉自在に装備し、前記扉体（２）が前記誘導気体通路（４）内に回動したときに誘導気体通路（４）と空調室（１）との間を仕切る仕切壁（３）が後退するとともに、前記扉体（２）が前面の開口部を閉鎖する位置に復帰したときに前記仕切壁（３）が元の前方位置に前進するように構成し、前記仕切壁（３）が後退したときに開放され、該仕切壁（３）が前進したときに閉鎖されるように連動ダンパ（５１）を前記仕切壁（３）とリンク機構（３２）により接続した請求項１に記載の空調槽。
【発明の詳細な説明】
【０００１】
【産業上の利用分野】
いわゆる環境試験装置や熱処理装置、又は冷蔵庫、温蔵庫、ショーケース等室内を特定の温度、圧力、湿度等の環境条件に保持する装置に関する。
【０００２】
【従来の技術とその問題点】
この種の装置は室内への物品の出入あるいは操作等の為に前面に扉を設けるのが普通であるが、その扉の形式に差はあっても、いずれも開放時に前方に扉体が突出する為、操作がしにくく、危険であり、開放時は扉体が邪魔になり、結果として該装置の前面のかなりの部分がデッドスペースとなり、十分な余地のないときや机上に装置を置く時に致命的な欠陥となっている。
【０００３】
【発明が解決しようとする課題】
本発明は従来技術に於ける上記問題を解決し、前面にデッドスペースが生じず、物品の出し入れや操作が容易で、扉体を常温に保つことができる空調槽を提供することを課題とする。
【０００４】
【課題を解決するための手段】
請求項１の発明は、前面に扉体２を備えた開口部を有し、該前面に連通するいずれかの面に誘導気体通路４を有し、誘導気体通路４が空調室１に連通して設けられ、空調室１と誘導気体通路４を仕切る仕切壁３の前面側に気体吸入口３１を、最奥部に気体供給口３３をそれぞれ備えた空調槽において、先端部を前記誘導気体通路４内に屈曲させた回動ガイドレール２３が前記空調室１内の前記誘導気体通路４と対向する側に設けた支点２６を中心に回動自在に装着され、扉体２はローラ２７を介して前記回動ガイドレール２３に沿って転動可能に構成され、前記誘導気体通路４内には固定ガイドレール２４が設けられ、前記扉体２と前記回動ガイドレール２３が同時に回動したときに該回動ガイドレール２３の先端が前記固定ガイドレール２４に接続されて一続きのガイドレールとなることにより、前記扉体２を誘導気体通路４内に格納可能としたことによって、
請求項２の発明は、前記誘導気体通路４の上方に連動ダンパ５１を開閉自在に装備し、前記扉体２が前記誘導気体通路４内に回動したときに誘導気体通路４と空調室１との間を仕切る仕切壁３が後退するとともに、前記扉体２が前面の開口部を閉鎖する位置に復帰したときに前記仕切壁３が元の前方位置に前進するように構成し、前記仕切壁３が後退したときに開放され、該仕切壁３が前進したときに閉鎖されるように連動ダンパ５１を前記仕切壁３とリンク機構３２により接続したことによって、それぞれ上記の発明の課題を達成している。
【０００５】
【作用と効果】
扉体を槽内に格納する為、装置の前面にデッドスペースを生じないばかりでなく、物品の出入や操作が容易である。しかも扉体の格納時に外気が扉体の周囲を流れる為室内を極端な高温や低温にする装置であっても扉体を常温に保つことができて、操作上の危険性がない。
【０００６】
【実施例】
第１実施例（図１）は１枚扉形で空調槽前面に１枚の扉体２を有し、図示しない通常のロック装置によって外壁５に密着されている。扉体２の側方の外壁５の内側には先端が内側に屈曲した回動ガイドレール２３が支点２６を中心に回動自在に装着され、扉体２の側面に装着されたローラ２７がガイドレール２３に沿って転動するようになっている。
【０００７】
空調室１の上部には誘導気体通路４が設けられ、その最奥端部にはファンＦと該ファン駆動用モータＭが外壁５を貫通して設けられている。空調室１と誘導気体通路４を仕切る仕切壁３は、装置前面側に気体吸入口３１を有し、最奥部は気体供給口３３を形成するように空間を有し、該仕切壁３全体が後方へ摺動可能に装着されている。
【０００８】
誘導気体通路４の外壁５の最奥方上部には連動ダンパ５１が開閉自在に装備され、該仕切壁３とリンク機構３２によって結合されている。又、該誘導気体通路４の内側側面には固定ガイドレール２４が設けられ、扉体２と回動ガイドレール２３が同時に回動したときに該回動ガイドレール２３の先端部が該固定ガイドレール２４に接続し、連結した一続きのガイドレールとなるように構成されている。
【０００９】
該空調槽最奥部は該空調室１と奥壁７によって仕切られた背面気体通路６を構成し、気体通路中に空調装置６１を有し、これによって必要な気体条件を発生させる。該背面気体通路６の下部は該空調室１に向かって均一な気体流を供給できるように傾斜面５２を有し、該奥壁７に設けられた調流孔群７１の効果と相まって該空調室１内の気体流を適切に調整している。更に該傾斜面５２の構成は該空調槽を複数台積み上げて使用するときに、該連動ダンパ５１の開閉操作を阻害することなく、該連動ダンパ５１が開放されたときに、気体が外部に自由に排出される効果を有する。
【００１０】
該扉体２を開放するときは、該扉体２の外面に設けられた把手２０のうち上方のものを内側に押し込むと、該扉体２は該回動ガイドレール２３と一体となって支点２６を中心に内側に回動し、それによって仕切壁３も奥の方向に摺動し、該回動ガイドレール２３と固定ガイドレール２４が接続されて一続きのガイドレールを構成し、他方連動ダンパ５１が開放される。するとファンＦはそれまで該空調室１内の気体を気体吸入口３１より吸引し該気体供給口３３より該背面気体通路６、該調流孔群７１を経由して該空調室１へ循環送気していたものが、該槽外空気を吸引し、該連動ダンパ５１より該槽外へ排出するようになる。更に該扉体２を内側へ押込むと、該扉体２は該ローラ２７が該回動ガイドレール２３、固定ガイドレール２４を転動するにつれて内側へ送り込まれ、ついには該誘導気体通路４内に格納されるに至る。該扉体２を閉鎖するのは前記開放操作と全く逆の手順となる。ここで判るように該扉体２の開閉操作にあたっては該ファンＦ、同用モータＭについては格別な操作は一切必要としない。
【００１１】
第２実施例（図２）では該扉体２が上部体２１と下部体２２に分かれていてヒンジ２９で回動自在に接続されている。該上部体２１の側面にはローラ２７が、該下部体２２の側面にはローラ２８が装着され、ガイドレールに沿って転動するようになっている。
【００１２】
この実施例におけるガイドレールは前部固定ガイドレール２５と支点２６を中心に回動自在となった回動ガイドレール２３と固定ガイドレール２４の３部分より構成され、該回動ガイドレール２３はその上下端部が屈曲していて、内側に回動したときに、該前部固定ガイドレール２５及び該固定ガイドレール２４と接続して一続きのガイドレールを構成するようになっている。
【００１３】
その他の構成及び操作等はすべて第１実施例と同様である。この第２実施例では該扉体２が２分割されていて屈曲できることによって操作が容易であり、また装置全体の設計がやりやすく自由度が大きくなるという利点がある。
【図面の簡単な説明】
【図１】第１実施例の空調槽の断面図である。
【図２】第２実施例の空調槽の断面図である。
【符号の説明】
１      空調室
２      扉体
２０    把手
２１    上体部
２２    下体部
２３    回動ガイドレール
２４    固定ガイドレール
２５    前部固定ガイドレール
２６    支点
２７〜２８    ローラ
３    仕切壁
３１    気体吸入口
３２    リンク機構
３３    気体供給口
４    誘導気体通路
５    外壁
６    背面気体通路
６１    空調装置
７    奥壁
７１    調流孔群
【図１】
0003584995.tif 000002
【図２】
0003584995.tif 000003